(57)【要約】【課題】全方向に音響を出力する音響出力装置を提供する。【解決手段】本発明の一実施形態による音響出力装置１００は、上部には上方に向かって開口部１０２が形成され、下部には音響孔１０３が備えられる円筒状の外部ケース１０１と、外部ケース１０１の内部上側に備えられて第１周波数帯域の音響を出力する第１音響出力部２００と、外部ケース１０１の内部下側に備えられて第２周波数帯域の音響を出力する第２音響出力部４００と、第１音響出力部２００の下部に備えられて第１音響出力部２００を昇降させる昇降機構３００とを含み、昇降機構３００は、第１音響出力部２００を上方に突出させて外部ケース１０１と第１音響出力部２００間から音響が出力されるようにする。【選択図】図２Ｂ
2017041884.tif 000002
【特許請求の範囲】
【請求項１】
上部には上方に向かって開口部が形成され、下部には音響孔が備えられる円筒状の外部ケースと、
前記外部ケースの内部上側に備えられて第１周波数帯域の音響を出力する第１音響出力部と、
前記外部ケースの内部下側に備えられて第２周波数帯域の音響を出力する第２音響出力部と、
前記第１音響出力部の下部に備えられて前記第１音響出力部を昇降させる昇降機構と、を含み、
前記昇降機構は、前記第１音響出力部を上方に突出させて前記外部ケースと前記第１音響出力部間から音響が出力されるようにすることを特徴とする音響出力装置。
【請求項２】
前記第１音響出力部は、
前記第１周波数帯域の音響を発生する第１スピーカモジュールと、
前記第１スピーカモジュールの上部に備えられて前記第１スピーカモジュールから発生する音響を側面に向けて反射させる第１音響経路形成部と、
前記第１音響経路形成部の外郭に形成されて前記第１音響経路形成部から反射する音響を外部に出力する第１音響伝達部と、を含む、請求項１に記載の音響出力装置。
【請求項３】
前記第１音響出力部は、
内部に貫通孔が形成される第１上部ケースと、
前記第１上部ケースの下部に連結されて前記第１スピーカモジュールが収容される空間を形成する第２上部ケースと、をさらに含む、請求項２に記載の音響出力装置。
【請求項４】
前記第２上部ケースは、
円筒状に形成される第１壁部と、
前記第２上部ケースの上端から前記第１壁部の外部に折り曲げられて下方に形成される第２壁部と、を含み、
前記第１壁部及び前記第２壁部によりガイド溝が形成される、請求項３に記載の音響出力装置。
【請求項５】
前記第２上部ケースの下方には円筒状のスライドガイドが備えられ、前記スライドガイドには前記ガイド溝に向かって突出する壁部が形成され、前記ガイド溝は前記壁部上で上下移動する、請求項４に記載の音響出力装置。
【請求項６】
前記第２上部ケースの内部には前記第１スピーカモジュールの下部に接触する突出部が形成され、前記突出部の反対側の面には前記第２上部ケースから下方に延びるプランジャが形成される、請求項５に記載の音響出力装置。
【請求項７】
前記昇降機構は、
前記第２上部ケースの下方に備えられ、
前記プランジャが配置されるように形成される第１弾性部材と、
前記第１弾性部材の一側に備えられる一対のダンピングギヤと、
前記ダンピングギヤに結合する一対のラックギヤが上方に向かって突設されるラッチプレートと、
前記ラッチプレートの中心部に形成される貫通孔に係止されるラッチスイッチと、を含む、請求項６に記載の音響出力装置。
【請求項８】
前記ダンピングギヤは、前記第２上部ケースの第１壁部に結合される、請求項７に記載の音響出力装置。
【請求項９】
前記第２音響出力部は、
下方に向けて第２周波数帯域の音響を発生する第２スピーカモジュールと、
前記第２スピーカモジュールの下部に備えられて前記第２スピーカモジュールから発生する音響を側面に向けて反射させる第２音響経路形成部と、を含む、請求項７に記載の音響出力装置。
【請求項１０】
前記ラッチプレートの下方には円筒状の下部ケースが備えられ、
前記下部ケースは、
上側に備えられる第１下部ケースと、
前記第１下部ケースの下部に結合される第２下部ケースと、を含み、
前記第１下部ケース及び前記第２下部ケースにより形成される空間に前記第２スピーカモジュールが収容される、請求項９に記載の音響出力装置。
【請求項１１】
前記第１下部ケースの側面には少なくとも１つの貫通孔が形成され、前記貫通孔には振動部材が備えられ、前記第２スピーカモジュールの背面から出力される音響による振動により第３周波数帯域を有する音響が出力される、請求項１０に記載の音響出力装置。
【請求項１２】
前記振動部材は、
側面に向かって膨らんで形成されるか又は凹んで形成されるゴム部材と、
前記ゴム部材の内部に備えられて前記ゴム部材と共に振動する金属部材と、
前記ゴム部材の外側に形成されて前記第１下部ケースに結合されるフレームと、を含む、請求項１１に記載の音響出力装置。
【発明の詳細な説明】
【技術分野】
【０００１】
本発明は、全方向に音を発生する音響出力装置に関する。
【背景技術】
【０００２】
一般に、音響出力装置、例えばスピーカは、電気信号を音響信号に変換して出力する装置であって、特定の方向に向けて音響を出力する場合がほとんどである。この場合は、その特定の方向に位置している場合にのみ出力される音響を正しく聴取することができる。
【０００３】
また、音響出力装置は、近年携帯用（ポータブル）音響出力装置に対する関心が高まっており、他の電子機器と連動して音響を出力する用途に応じて様々な形態、構造及び大きさを有する。例えば、低音出力を行う音響出力装置と高音出力を行う音響出力装置とはその形態、構造、大きさなどが異なる。
【発明の概要】
【発明が解決しようとする課題】
【０００４】
しかし、従来のほとんどの音響出力装置は、四角形状の硬いデザインを有し、一方向にのみ音響が出力されるので他方向にいる人には音響が小さいことからよく聞こえないことが多かった。また、１つの音響出力装置では、音響が出力される部分が１箇所であるので、様々な周波数帯域の音響を出力することが困難であった。
【０００５】
本発明の目的は、上記問題及び他の問題を解決することにある。
【０００６】
本発明の他の目的は、全方向に音響を出力する音響出力装置を提供することにある。
【課題を解決するための手段】
【０００７】
上記目的又は他の目的を達成するために、本発明の一実施形態による音響出力装置は、上部には上方に向かって開口部が形成され、下部には音響孔が備えられる円筒状の外部ケースと、前記外部ケースの内部上側に備えられて第１周波数帯域の音響を出力する第１音響出力部と、前記外部ケースの内部下側に備えられて第２周波数帯域の音響を出力する第２音響出力部と、前記第１音響出力部の下部に備えられて前記第１音響出力部を昇降させる昇降機構とを含み、前記昇降機構は、前記第１音響出力部を上方に突出させて前記外部ケースと前記第１音響出力部間から音響が出力されるようにする。
【０００８】
本発明の一態様によれば、前記第１音響出力部は、前記第１周波数帯域の音響を発生する第１スピーカモジュールと、前記第１スピーカモジュールの上部に備えられて前記第１スピーカモジュールから発生する音響を側面に向けて反射させる第１音響経路形成部と、前記第１音響経路形成部の外郭に形成されて前記第１音響経路形成部から反射する音響を外部に出力する第１音響伝達部とを含んでもよい。
【０００９】
本発明の一態様によれば、前記第１音響出力部は、内部に貫通孔が形成される第１上部ケースと、前記第１上部ケースの下部に連結されて前記第１スピーカモジュールが収容される空間を形成する第２上部ケースとをさらに含んでもよい。
【００１０】
本発明の一態様によれば、前記第２上部ケースは、円筒状に形成される第１壁部と、前記第２上部ケースの上端から前記第１壁部の外部に折り曲げられて下方に形成される第２壁部とを含み、前記第１壁部及び前記第２壁部によりガイド溝が形成されるようにしてもよい。
【００１１】
本発明の一態様によれば、前記第２上部ケースの下方には円筒状のスライドガイドが備えられ、前記スライドガイドには前記ガイド溝に向かって突出する壁部が形成され、前記ガイド溝は前記壁部上で上下移動するようにしてもよい。
【００１２】
本発明の一態様によれば、前記第２上部ケースの内部には前記第１スピーカモジュールの下部に接触する突出部が形成され、前記突出部の反対側の面には前記第２上部ケースから下方に延びるプランジャが形成されるようにしてもよい。
【００１３】
本発明の一態様によれば、前記昇降機構は、前記第２上部ケースの下方に備えられ、前記プランジャが配置されるように形成される第１弾性部材と、前記第１弾性部材の一側に備えられる一対のダンピングギヤと、前記ダンピングギヤに結合する一対のラックギヤが上方に向かって突設されるラッチプレートと、前記ラッチプレートの中心部に形成される貫通孔に係止されるラッチスイッチとを含んでもよい。
【００１４】
本発明の一態様によれば、前記ダンピングギヤは、前記第２上部ケースの第１壁部に結合されるようにしてもよい。
【００１５】
本発明の一態様によれば、前記第２音響出力部は、下方に向けて第２周波数帯域の音響を発生する第２スピーカモジュールと、前記第２スピーカモジュールの下部に備えられて前記第２スピーカモジュールから発生する音響を側面に向けて反射させる第２音響経路形成部とを含んでもよい。
【００１６】
本発明の一態様によれば、前記ラッチプレートの下方には円筒状の下部ケースが備えられ、前記下部ケースは、上側に備えられる第１下部ケースと、前記第１下部ケースの下部に結合される第２下部ケースとを含み、前記第１下部ケース及び前記第２下部ケースにより形成される空間に前記第２スピーカモジュールが収容されるようにしてもよい。
【００１７】
本発明の一態様によれば、前記第１下部ケースの側面には少なくとも１つの貫通孔が形成され、前記貫通孔には振動部材が備えられ、前記第２スピーカモジュールの背面から出力される音響による振動により第３周波数帯域を有する音響が出力されるようにしてもよい。
【００１８】
本発明の一態様によれば、前記振動部材は、側面に向かって膨らんで形成されるか又は凹んで形成されるゴム部材と、前記ゴム部材の内部に備えられて前記ゴム部材と共に振動する金属部材と、前記ゴム部材の外側に形成されて前記第１下部ケースに結合されるフレームとを含んでもよい。
【発明の効果】
【００１９】
本発明による音響出力装置の効果は次の通りである。
【００２０】
本発明の少なくとも１つの実施形態においては、スピーカモジュールから発生する音響を反射させることにより、全方向に音響が出力されるようにすることができるという利点がある。
【００２１】
また、本発明の少なくとも１つの実施形態においては、１回の押圧により、音響出力装置の電源をオン／オフにすると同時に、直ちに他の電子機器とペアリングすることができるという利点がある。
【００２２】
さらに、本発明の少なくとも１つの実施形態においては、様々な周波数帯域の音響を同時に出力することができるという利点がある。
【００２３】
さらに、本発明の少なくとも１つの実施形態においては、滑らかな円筒（cylinder）状又はタンブラー（tumbler）状の外観にすることにより、美麗なデザインを提供することができ、携帯性に優れているという利点がある。
【００２４】
本発明の適用可能範囲は後述する発明の詳細な説明によりさらに明確になるであろう。しかし、本発明の属する技術の分野における通常の知識を有する者であれば本発明の思想及び範囲内で様々な変更及び修正が可能であるので、発明の詳細な説明及び本発明の好ましい実施形態などの特定の実施形態は単なる例示にすぎないものと理解されるべきである。
【図面の簡単な説明】
【００２５】
【図１Ａ】本発明の一実施形態による音響出力装置の第１状態での正面図である。
【図１Ｂ】本発明の一実施形態による音響出力装置の第２状態での正面図である。
【図２Ａ】本発明の一実施形態による音響出力装置の第１状態での断面図である。
【図２Ｂ】本発明の一実施形態による音響出力装置の第２状態での断面図である。
【図３】本発明の一実施形態による音響出力装置の分解斜視図である。
【図４Ａ】図２Ａの部分拡大図である。
【図４Ｂ】図２Ｂの部分拡大図である。
【図５】本発明の一実施形態による昇降機構の作動メカニズムを説明するための音響出力装置の部分斜視図である。
【図６Ａ】本発明の一実施形態による照明部材の斜視図である。
【図６Ｂ】図６Ａの平面図である。
【図６Ｃ】図６ＢのＡ−Ａ線断面図である。
【図７Ａ】本発明の一実施形態による第１音響経路形成部の斜視図である。
【図７Ｂ】図７Ａの平面図である。
【図７Ｃ】図７ＢのＢ−Ｂ線断面図である。
【図８Ａ】本発明の一実施形態による第１音響伝達部のモールド部の斜視図である。
【図８Ｂ】本発明の一実施形態による第１音響伝達部のグリル部（grill portion）の斜視図である。
【図８Ｃ】本発明の一実施形態による第１音響伝達部の平面図である。
【図８Ｄ】図８ＣのＤ−Ｄ線断面図である。
【図９】本発明の一実施形態によるムービングガイドカバー（moving guide cover）の斜視図である。
【図１０Ａ】本発明の一実施形態による第１上部ケースの斜視図である。
【図１０Ｂ】図１０Ａの平面図である。
【図１０Ｃ】図１０ＢのＥ−Ｅ線断面図である。
【図１１Ａ】本発明の一実施形態による第２上部ケースの斜視図である。
【図１１Ｂ】図１１Ａの平面図である。
【図１１Ｃ】図１１ＢのＦ−Ｆ線断面図である。
【図１２】本発明の一実施形態によるスライドガイドの斜視図である。
【図１３】本発明の一実施形態によるラッチプレートの斜視図である。
【図１４】本発明の一実施形態による第１下部ケースの斜視図である。
【図１５】本発明の一実施形態による第２下部ケースの斜視図である。
【図１６Ａ】本発明の一実施形態による振動部材の正面図である。
【図１６Ｂ】図１６ＡのＧ−Ｇ線断面図である。
【図１７Ａ】本発明の一実施形態による第２音響経路形成部の斜視図である。
【図１７Ｂ】図１７Ａの平面図である。
【図１７Ｃ】図１７ＢのＨ−Ｈ線断面図である。
【図１８Ａ】本発明の一実施形態による下部キャップの平面図である。
【図１８Ｂ】図１８ＡのＩ−Ｉ線断面図である。
【図１８Ｃ】本発明の一実施形態による下部キャップの変形例の斜視図である。
【図１９Ａ】本発明の一実施形態によるラッチスイッチの作動メカニズムを説明するための図である。
【図１９Ｂ】本発明の一実施形態によるラッチスイッチの作動メカニズムを説明するための図である。
【図１９Ｃ】本発明の一実施形態によるラッチスイッチの作動メカニズムを説明するための図である。
【図１９Ｄ】本発明の一実施形態によるラッチスイッチの作動メカニズムを説明するための図である。
【図２０Ａ】本発明の一実施形態によるダンピングギヤの正面図である。
【図２０Ｂ】図２０ＡのＪ−Ｊ線断面図である。
【図２１】本発明の一実施形態による音響制御表示部を示す図である。
【図２２】本発明の一実施形態による音響出力装置の使用例を示す図である。
【図２３】本発明の一実施形態による音響出力装置の他の使用例を示す図である。
【発明を実施するための形態】
【００２６】
以下、添付図面を参照して本発明の実施形態を詳細に説明するが、図面番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。また、本発明の実施形態を説明するにあたって、関連する公知技術についての具体的な説明が本発明の要旨を不明にすると判断される場合は、その詳細な説明を省略する。なお、添付図面は本発明の実施形態を容易に理解できるようにするためのものにすぎず、添付図面により本発明の技術的思想が制限されるものではなく、本発明は本発明の思想及び技術範囲に含まれる全ての変更、均等物乃至代替物を含むものと理解されるべきである。
【００２７】
第１、第２などのように序数を含む用語は様々な構成要素を説明するために使用されるが、前記構成要素は前記用語により限定されるものではない。前記用語は１つの構成要素を他の構成要素と区別する目的でのみ使用される。
【００２８】
ある構成要素が他の構成要素に「連結」又は「接続」されていると言及された場合は、前記他の構成要素に直接的に連結又は接続されていることもあり、中間にさらに他の構成要素が存在することもあると理解すべきである。それに対して、ある構成要素が他の構成要素に「直接連結」又は「直接接続」されていると言及された場合は、中間にさらに他の構成要素が存在しないと理解すべきである。
【００２９】
本明細書で使用される単数の表現は、特に断らない限り、複数の表現を含む。
【００３０】
本明細書において、「含む」や「有する」などの用語は、明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００３１】
以下、本発明の一実施形態による音響出力装置について添付図面を参照して説明する。本発明の思想及び必須の特徴を逸脱しない範囲で本発明の他の特定の形態への具体化が可能であることは、本発明の属する技術の分野における通常の知識を有する者にとって自明である。
【００３２】
図１Ａは本発明の一実施形態による音響出力装置の第１状態での正面図であり、図１Ｂは本発明の一実施形態による音響出力装置の第２状態での正面図であり、図２Ａは本発明の一実施形態による音響出力装置の第１状態での断面図であり、図２Ｂは本発明の一実施形態による音響出力装置の第２状態での断面図であり、図３は本発明の一実施形態による音響出力装置の分解斜視図である。すなわち、図２Ａは図１Ａの断面図であり、図２Ｂは図１Ｂの断面図である。
【００３３】
本発明の一実施形態においては、円筒状又はタンブラー状の音響出力装置１００を開示するが、以下、図１Ａ〜図３を参照して本発明の一実施形態による音響出力装置１００の構造について説明する。
【００３４】
本発明の一実施形態による音響出力装置１００は、外部に露出し、円筒状又はタンブラー状の外部ケース１０１の内部に複数の音響出力部が備えられている。外部ケース１０１は、下面は密閉され、上面は開放されて開口部１０２が形成された形態であり、下部に外周面に沿って音響孔１０３が形成されている。本発明の一実施形態による音響出力装置１００は、外部ケース１０１の上部から音響が出力される第１音響出力部２００と、外部ケース１０１の下部に形成された音響孔１０３から外部に音響が出力される第２音響出力部４００とを備える。ここで、第２音響出力部４００からは、外部ケース１０１の周辺の全方向（３６０°）に音響が出力される。
【００３５】
図１Ａ及び図１Ｂにおいては、第１音響出力部２００により遮蔽されて環状に形成された開口部１０２を例示しているが、本発明の一実施形態による開口部１０２は、必ずしもこれに限定されるものではなく、第１音響出力部２００が除去された状態での外部ケース１０１の上面全体であってもよい。第１音響出力部２００は、後述する第１スピーカモジュール２８０により発生する音響が外部ケース１０１の開口部１０２に備えられる第１音響経路形成部２４０に遮られて第１音響経路形成部２４０と外部ケース１０１間の開口部１０２から出力されるように形成される。ここで、第１音響経路形成部２４０が開口部１０２より小さい円板状に形成され、開口部１０２が円環状に形成されており、本発明の一実施形態による音響出力装置１００の全方向において同じ音質の音を聴取することができる。また、音響孔１０３が全方向に向かって形成されており、本発明の一実施形態による音響出力装置１００の全方向において同じ音質の音を聴取することができる。
【００３６】
本発明の一実施形態による音響出力部についてより具体的に説明すると次の通りである。
【００３７】
本発明の一実施形態による音響出力部は、外部ケース１０１の内側上部に昇降可能に備えられ、第１周波数帯域の音響を出力する第１音響出力部２００と、外部ケース１０１の内側下部に備えられ、第１周波数帯域と同一又は異なる第２周波数帯域の音響を出力する第２音響出力部４００と、第１音響出力部２００と第２音響出力部４００間に配置され、第１音響出力部２００及び第２音響出力部４００の周波数帯域と同一又は異なる第３周波数帯域の音響を出力する第３音響出力部５００とを含む。
【００３８】
例えば、第１周波数帯域は全帯域であってもよく、第２周波数帯域は低周波数帯域であり、かつ第２音響出力部４００はウーファースピーカモジュールを含むようにしてもよく、第３周波数帯域は第２周波数帯域より低い超低周波数帯域であってもよい。一例として、第１周波数帯域は２０Ｈｚ〜２０ｋＨｚであってもよく、第２周波数帯域は２〜３ｋＨｚであってもよく、第３周波数帯域は５０〜１００Ｈｚであってもよいが、必ずしもこれに限定されるものではなく、第１〜第３周波数帯域は一部の帯域が重なるようにしてもよい。
【００３９】
第１音響出力部２００は、下降した位置にある第１状態と、第１状態でポップアップされて上昇した位置にある第２状態とに切り替え可能になっている。第１状態では、第１音響出力部２００の動作が停止し、第２状態では、第１音響出力部２００が動作する。第１状態では、第１音響出力部２００だけではなく、第２音響出力部４００と第３音響出力部５００も動作しなくなる。すなわち、第１音響出力部２００は、昇降可能になっており、第１状態から第２状態に切り替えられると電源が供給されて自動で動作する。このように、本発明の一実施形態においては、第１音響出力部２００により、音響出力装置１００全体の電源を供給したり遮断することができる。
【００４０】
第１音響出力部２００は、直接音響を発生する部分（例えば、第１スピーカモジュール２８０）だけではなく、それに関連して第１状態と第２状態との切り替えによって共に下降又は上昇する部分も含むものとする。すなわち、図２Ａと図２Ｂとで位置が変動する部分を第１音響出力部２００として説明する。
【００４１】
なお、図４Ａは、図２Ａの部分拡大図であって、本発明の一実施形態による第１状態の音響出力装置における第１音響出力部周辺の断面図であり、図４Ｂは、図２Ｂの部分拡大図であって、本発明の一実施形態による第２状態の音響出力装置における第１音響出力部周辺の断面図である。図４Ａ及び図４Ｂに示すように、第１音響出力部２００は、第１周波数帯域の音響を発生する第１スピーカモジュール２８０が外部ケース１０１の内部に配置され、第１スピーカモジュール２８０の下方には第１音響出力部２００を昇降させる昇降機構３００が配置され、第１スピーカモジュール２８０の上部には第１スピーカモジュール２８０から発生する音響が外部に流れるようにする第１音響伝達部２５０が形成され、第１音響伝達部２５０の上側には第１スピーカモジュール２８０から発生する音響が外部に放射されるように音響をガイドする第１音響経路形成部２４０が配置される。ここで、第１スピーカモジュール２８０の上部には、音響が上方に出力されるように上下に振動して第１スピーカモジュール２８０の前後に音圧差を発生する振動板２８１が形成され、第１スピーカモジュール２８０の下部には、マグネット（図示せず）、ボイスコイル（図示せず）などの部品が配置される。
【００４２】
第１スピーカモジュール２８０は、内部に貫通孔２７２（図１０Ａ参照）が形成される第１上部ケース２７０、及び第１上部ケース２７０の下部に連結されて第１スピーカモジュール２８０が収容される空間を形成する第２上部ケース２９０の内部に収容される。すなわち、第１上部ケース２７０の下部に第２上部ケース２９０が結合され、第１上部ケース２７０と第２上部ケース２９０間に第１スピーカモジュール２８０が収容される。ここで、第１スピーカモジュール２８０から出力される音響は、貫通孔２７２から第１音響伝達部２５０に移動する。
【００４３】
第１上部ケース２７０の縁部には、ムービングガイドカバー２６０が結合される。また、第２上部ケース２９０は、隔壁構造により、昇降方向にガイド溝２９５が形成される。
【００４４】
図１１Ａは本発明の一実施形態による第２上部ケースの斜視図であり、図１１Ｂは図１１Ａの平面図であり、図１１Ｃは図１１ＢのＦ−Ｆ線断面図である。図１１Ａ〜図１１Ｃに示すように、第２上部ケース２９０は、より内側に円筒状に形成される第１壁部２９１と、第２上部ケース２９０の上端から第１壁部２９１の外部に折り曲げられて下方に形成される第２壁部２９２とを含み、第１壁部２９１と第２壁部２９２とが平行に形成され、第１壁部２９１と第２壁部２９２間にガイド溝２９５が形成される。ここで、第１上部ケース２７０と第２上部ケース２９０とは、縁部に沿って結合されて一体に昇降する。
【００４５】
第１上部ケース２７０の上部には中空円筒状の第１音響伝達部２５０が結合され、第１音響伝達部２５０の内部には第１音響経路形成部２４０が配置される。図８Ａは本発明の一実施形態による第１音響伝達部のモールド部の斜視図であり、図８Ｂは本発明の一実施形態による第１音響伝達部のグリル部の斜視図であり、図８Ｃは本発明の一実施形態による第１音響伝達部の平面図であり、図８Ｄは図８ＣのＤ−Ｄ線断面図である。図８Ａ〜図８Ｄに示すように、第１音響伝達部２５０は、外表面を形成する円筒状のモールド部２５１と、モールド部２５１の内部に配置されるグリル部２５２との結合により構成される。ここで、モールド部２５１とグリル部２５２との結合は、モールド部２５１の内部に備えられるフック２５１ａとグリル部２５２の内部に備えられるフック２５２ａとの結合により行われる。すなわち、フック２５１ａ、２５２ａは、それぞれ、モールド部２５１及びグリル部２５２の互いに対応する位置に備えられ、モールド部２５１及びグリル部２５２の内面に所定間隔離隔して形成される。第１スピーカモジュール２８０から出力される音響は、グリル部２５２を介して外部に向かう。すなわち、第１音響伝達部２５０は、第１音響出力部２００の音響を伝達する通路の機能を有する。ここで、モールド部２５１の外郭には、布（ジャージ）からなる仕上部材２５３が備えられ、外部からの塵埃などの流入を遮断するようになっている。
【００４６】
モールド部２５１は、グリル部２５２の外郭でグリル部２５２を保護する機能を有する。ここで、モールド部２５１は、一部の領域は第２状態で音響が外部に出力されるように開放され、それ以外の部分は閉塞されるように形成されてもよい。
【００４７】
ここで、モールド部２５１の内側には複数の溝２５１ｂが形成され、溝２５１ｂはグリル部２５２の内面から突設される複数の溝２５２ｂに対応する位置に備えられる。溝２５１ｂ、２５２ｂも互いに対応する位置に形成されることにより、音響の反射を最小限に抑えて外部に出力されるようにする。
【００４８】
図７Ａは本発明の一実施形態による第１音響経路形成部の斜視図であり、図７Ｂは図７Ａの平面図であり、図７Ｃは図７ＢのＢ−Ｂ線断面図である。図７Ａ〜図７Ｃに示すように、第１音響経路形成部２４０は、略半球状に形成され、上面は下方に向かって凹んでおり、下面から下方に向かって複数のボス２４５が形成されていて結合部材１７２（図３参照）により第１上部ケース２７０と締結される。また、第１音響経路形成部２４０の下面は、中心から外郭に向かって上向きに傾斜して形成される傾斜部２４２（２４２ａ、２４２ｂ）により、第１スピーカモジュール２８０から発生した音響が上方ではなく側面に向くようにする。すなわち、第１音響経路形成部２４０がデコプレート（decoration plate）２１０により閉塞されているので、第１スピーカモジュール２８０から出力される音響が上方ではなく側方に向くようにする。例えば、図２Ｂに示すように、第１音響出力部２００での音響の移動経路Ｌ１は、第１スピーカモジュール２８０から出力される音響が第１音響経路形成部２４０の傾斜部２４２で反射して第１音響伝達部２５０を介して外部に出力されるようになっている。
【００４９】
第１音響経路形成部２４０の中心には上方に向かって突出するボス２４３が形成され、第１音響経路形成部２４０の上面はボス２４３を中心として対称形状となっている。第１音響経路形成部２４０のボス２４３には、結合部材１７１により、ＮＦＣ（Near Field Communication）２２０及びタッチ回路基板２３０が結合される（図２Ａ及び図３参照）。
【００５０】
また、図２Ｂを参照すると、第１音響経路形成部２４０は、音響の経路を上方から側方に変更する機能を有するので、カメラにおける光の屈折方向を変更するレンズのような役割を果たす。よって、第１音響経路形成部２４０は、音響レンズ（acoustic lens）ともいえる。第１音響経路形成部２４０の上側には、外部に露出するデコプレート２１０が配置され、デコプレート２１０は、円板状に形成され、デコプレート２１０の下部には、デコプレート２１０がタッチされるとそのタッチ入力を検出できるようにタッチ回路基板２３０が備えられる。デコプレート２１０のタッチにより、出力される音響の大きさ（例えば、ボリュームアップ２１４ｂ、ボリュームダウン２１４ａ、図２１参照）、音響の再生順序（例えば、前曲２１５ａ、次曲２１５ｂ、一時停止２１６、図２１参照）、出力される音響の種類（例えば、ＥＱ（イコライザ）２１３、図２１参照）を選択することができる。それだけでなく、他の電子機器との近距離無線通信モード２１２（例えば、ブルートゥース（BluetoothTM）、ワイファイ（Ｗｉ−Ｆｉ）など、図２１参照）を表示することができ、照明（ＬＥＤ）ボタン２１７（図２１参照）があり、所望の雰囲気を作り出すことができる。
【００５１】
また、図３に示すように、デコプレート２１０とタッチ回路基板２３０との間には接着部材２２５が備えられ、接着部材２２５によりデコプレート２１０がタッチ回路基板２３０に取り付けられる。なお、接着部材２２５は、両面テープであってもよい。接着部材２２５は、内部に貫通孔２２５ａが形成され、貫通孔２２５ａを貫通してＮＦＣ２２０が備えられる。ＮＦＣ２２０の上面の少なくとも一部は貫通孔２２５ａを貫通してデコプレート２１０に直接接触し、ＮＦＣ２２０の下面はタッチ回路基板２３０に取り付けられる。
【００５２】
すなわち、タッチ回路基板２３０は、円形状に形成されてデコプレート２１０の背面に配置され、デコプレート２１０とタッチ回路基板２３０との間には、タッチ回路基板２３０より小さい円形状のＮＦＣ２２０が備えられる。ＮＦＣ２２０は、他の電子機器がＮＦＣ２２０に接触又はほとんど接触した状態で無線通信を可能にするためのものであり、ブルートゥースやワイファイのように近距離で互いに離隔した状態での無線通信のためのものとは異なるものである。デコプレート２１０の縁部には環状の照明部材２３５が備えられ、照明部材２３５はＬＥＤの光が外部に照射されるように光ガイドの役割を果たす。
【００５３】
すなわち、近距離無線通信は、近距離通信のためのものであり、ブルートゥース、ＲＦＩＤ（Radio Frequency Identification）、ＩｒＤＡ（Infrared Data Association）、ＵＷＢ（Ultra Wideband）、ＺｉｇＢｅｅ、ＮＦＣ、Ｗｉ−Ｆｉ、Ｗｉ−Ｆｉダイレクト、ワイヤレスＵＳＢ（Wireless Universal Serial Bus）の少なくとも１つの技術を用いて近距離通信をサポートする。近距離無線通信は、近距離無線通信網（近距離無線エリアネットワーク）を介して、音響出力装置１００と無線通信システム間、音響出力装置１００と他の音響出力装置間、又は音響出力装置１００と他の音響出力装置（もしくは、外部サーバ）が位置するネットワーク間の無線通信をサポートする。近距離無線通信網（近距離無線エリアネットワーク）は、近距離ワイヤレスパーソナルエリアネットワーク（Wireless Personal Area Network）であってもよい。
【００５４】
このように、本発明の一実施形態による音響出力装置には、ブルートゥース、ＲＦＩＤ、ＩｒＤＡ、ＵＷＢ、ＺｉｇＢｅｅ、ＮＦＣ、Ｗｉ−Ｆｉ、Ｗｉ−Ｆｉダイレクト、ワイヤレスＵＳＢなどの近距離通信技術を適用することができる。
【００５５】
このうち、音響出力装置に備えられるＮＦＣモジュールは、約１０ｃｍの距離で端末間の非接触式近距離無線通信をサポートする。ＮＦＣモジュールは、カードモード、リーダモード及びＰ２Ｐ（Peer-to-Peer）モードのいずれかで動作する。ＮＦＣモジュールをカードモードで運用するために、音響出力装置１００は、カード情報を保存するセキュリティモジュールをさらに含んでもよい。ここで、セキュリティモジュールは、ＵＩＣＣ（Universal Integrated Circuit Card）（例えば、ＳＩＭ（Subscriber Identity Module）、ＵＳＩＭ(Universal SIM)）、セキュアマイクロ（secure micro）ＳＤ、ステッカーなどの物理的媒体であってもよく、音響出力装置に組み込まれる論理的媒体（例えば、eSE(embedded Secure Element)）であってもよい。ＮＦＣモジュールとセキュリティモジュールとの間ではＳＷＰ（Single Wire Protocol）に基づいたデータ交換を行うことができる。
【００５６】
ＮＦＣモジュールをカードモードで運用する場合、音響出力装置は、従来のＩＣカードのように、保存しているカード情報を外部に送信することができる。しかし、本発明の一実施形態においては、ＮＦＣモジュールが近くに位置する電子機器から情報を受信することが多いであろう。すなわち、ＮＦＣモジュールをリーダモードで運用する場合がほとんどである。
【００５７】
また、ＮＦＣモジュールをリーダモードで運用する場合、音響出力装置は、外部のタグ（tag）からデータを読み出すことができる。ここで、音響出力装置がタグから受信するデータは、ＮＦＣフォーラムで定義されたＮＦＣデータ交換フォーマット（NFC Data Exchange Format）で符号化されるようにしてもよい。
【００５８】
さらに、ＮＦＣモジュールをＰ２Ｐモードで運用する場合、音響出力装置は、他の音響出力装置とＰ２Ｐ通信を行うことができる。ここで、Ｐ２Ｐ通信には、ＬＬＣＰ（Logical Link Control Protocol）を適用することができる。Ｐ２Ｐ通信のために、音響出力装置と他の音響出力装置又は他の電子機器との間には、コネクションが生成される。ここで、生成されるコネクションは、１つのパケットを交換して終了する無接続モード（connectionless mode）と、連続してパケットを交換する接続指向モード（connection-oriented mode）に分けられる。Ｐ２Ｐ通信により、電子名刺、連絡先情報、デジタル写真、ＵＲＬなどのデータや、ブルートゥース、Ｗｉ−Ｆｉ接続のためのセットアップパラメータなどを交換することができる。ただし、ＮＦＣ通信の通信可能距離は短いので、Ｐ２Ｐモードは小さいサイズのデータの交換に効果的に活用することができる。
【００５９】
図６Ａは本発明の一実施形態による照明部材の斜視図であり、図６Ｂは図６Ａの平面図であり、図６Ｃは図６ＢのＡ−Ａ線断面図である。図６Ａ〜図６Ｃに示すように、照明部材２３５は、上方から見て同心円状の段差を有するように形成される。すなわち、照明部材２３５は、厚さの薄い環状に形成されるが、最外郭の縁部２３５ａから中心に向かって低くなる下りの段差を有し、段差部２３５ｂにはデコプレート２１０が取り付けられる。これにより、デコプレート２１０と照明部材２３５とは同一平面上に配置される。また、照明部材２３５は、接着部材２３６により第１音響経路形成部２４０の上側に取り付けられる（図３参照）。
【００６０】
第１音響経路形成部２４０も、照明部材２３５に対応するように、中心に向かって低くなる下りの段差を有する。第１音響経路形成部２４０の段差構造により、照明部材２３５が取り付けられる構造となる。また、第１音響経路形成部２４０の一部が第１音響伝達部２５０の内部に収容され、第１音響経路形成部２４０は、前述したように、中心から外側に行くほど上方に突出した形状であり、第１音響経路形成部２４０の中心を基準として対称に形成される。第１音響経路形成部２４０には貫通孔２４４が形成され、ムービングガイドカバー２６０には貫通孔２６１が形成されており、結合部材１７２により第１音響経路形成部２４０とムービングガイドカバー２６０とが結合される。
【００６１】
一方、図９は本発明の一実施形態によるムービングガイドカバーの斜視図であり、図１０Ａは本発明の一実施形態による第１上部ケースの斜視図であり、図１０Ｂは図１０Ａの平面図であり、図１０Ｃは図１０ＢのＥ−Ｅ線断面図である。また、図１１Ａは本発明の一実施形態による第２上部ケースの斜視図であり、図１１Ｂは図１１Ａの平面図であり、図１１Ｃは図１１ＢのＦ−Ｆ線断面図である。
【００６２】
第１音響伝達部２５０は第１上部ケース２７０に結合され、第１上部ケース２７０は第２上部ケース２９０と結合される。また、第１上部ケース２７０は、内部に貫通孔２７２を有する環状に形成され、内側２７３の方が外側２７４より上方に突出して形成され、内側２７３には第１音響経路形成部２４０が結合される複数のボス２７１が形成され、外側２７４には環状のムービングガイドカバー２６０が結合される貫通孔２７５、２７６が形成される。すなわち、第１上部ケース２７０の内側では、結合部材１７３（図３参照）がムービングガイドカバー２６０から第１上部ケース２７０に向かって貫通し、ムービングガイドカバー２６０を第１上部ケース２７０に結合する。
【００６３】
また、ムービングガイドカバー２６０を第１上部ケース２７０に結合する結合部材１７３は、ムービングガイドカバー２６０及び第１上部ケース２７０を第２上部ケース２９０に結合する。すなわち、結合部材１７３は、ムービングガイドカバー２６０、第１上部ケース２７０及び第２上部ケース２９０を一体に結合する。ここで、第１上部ケース２７０の外側２７４には、図１０Ｂに示すように、三角形をなすように配置される３つの貫通孔２７５と、四角形をなすように配置される４つの貫通孔２７６が形成される。三角形をなす貫通孔２７５は、図９に示すムービングガイドカバー２６０の貫通孔２６１に対応する位置に形成され、結合部材１７３によりムービングガイドカバー２６０と第１上部ケース２７０とが結合されるようにする。また、四角形をなす貫通孔２７６は、図１１Ａに示す貫通孔２９４に対応する位置に形成され、結合部材１７３により第１上部ケース２７０と第２上部ケース２９０とが結合されるようにする。
【００６４】
すなわち、第２上部ケース２９０は、より内側に円筒状に形成される第１壁部２９１と、第１壁部２９１から所定間隔離隔して第１壁部２９１と平行に形成される第２壁部２９２と、第１壁部２９１と第２壁部２９２とを連結する折曲部２９３とを含む。折曲部２９３にはねじ孔２９４が形成されており、結合部材１７３を固定できるようになっている。図１１Ｃに示すように、第２上部ケース２９０においては、第１壁部２９１及び第２壁部２９２によりガイド溝２９５が形成される。第１状態では、ガイド溝２９５にスライドガイド３１０が挿入され、第２状態では、ガイド溝２９５からスライドガイド３１０が引き出される。より具体的には、図１２に示すスライドガイド３１０の壁部３１２は固定された状態にあり、壁部３１２により第２上部ケース２９０のガイド溝２９５の移動が誘導される。
【００６５】
また、第２上部ケース２９０の内部には第１スピーカモジュール２８０の下部に接触する突出部２９７が形成され、突出部２９７の反対側の面には第２上部ケース２９０から下方に延びるプランジャ２９８が形成される。第１スピーカモジュール２８０の下部には上方に向かって凹んで形成される凹部２８２が形成され、凹部２８２には衝撃緩和部材１６１（図２Ａ及び図３参照）が備えられており、突出部２９７と第１スピーカモジュール２８０との衝撃が緩和される。すなわち、衝撃緩和部材１６１は、スピーカクッション（speaker cushion）である。
【００６６】
図２Ａに示すように、第２上部ケース２９０の下部には昇降機構３００が備えられるが、昇降機構３００は、中心部にプランジャ２９８が配置されるように形成される第１弾性部材３３０と、第１弾性部材３３０の一側に備えられる一対のダンピングギヤ３２０と、ダンピングギヤ３２０にギヤ結合する一対のラックギヤ３５１が上方に向かって突設されるラッチプレート３５０とを含んでもよい。ダンピングギヤ３２０は、第１弾性部材３３０の復元力を阻止する機能を有し、内部にオイルが充填されており、第１弾性部材３３０の復元力により上昇する第２上部ケース２９０の上昇速度を油圧により減速させる機能を有するので、油圧ギヤともいえる。
【００６７】
図５は本発明の一実施形態による昇降機構の作動メカニズムを説明するための音響出力装置の部分斜視図であり、図１３は本発明の一実施形態によるラッチプレートの斜視図であり、図２０Ａは本発明の一実施形態によるダンピングギヤの正面図であり、図２０Ｂは図２０ＡのＪ−Ｊ線断面図である。
【００６８】
一対のダンピングギヤ３２０は、ラックギヤ３５１と直接接触しながら回転するギヤ３２１と、ギヤ３２１の一側に配置されて内部にオイル３２６が充填される本体３２２とを含んでもよい。本体３２２の一端部は結合孔３２７が形成されていて結合部材１７４（図３参照）により第２上部ケース２９０に結合することができ、本体３２２の他端部は切欠部３２４が形成されていて第２上部ケース２９０に取り付けることができる。すなわち、ダンピングギヤ３２０は、第２上部ケース２９０に結合された状態でラックギヤ３５１とギヤ結合して回転することにより、第１弾性部材３３０により第２上部ケース２９０が急速に上昇することを緩和する。また、本体３２２は、カバー３２３が結合されていて内部を密閉し、内部にはロータリ（rotary）３２５が備えられる。
【００６９】
より具体的には、第１弾性部材３３０は、第２上部ケース２９０の下面に接触して第２上部ケース２９０を上昇させる復元力を与える。第１弾性部材３３０の付勢力により第１音響出力部２００が急速に上昇すると第１音響出力部２００に衝撃が加わるので、第１音響出力部２００は徐々に上昇するようにすることが好ましい。このために、本発明の一実施形態においては、ダンピングギヤ３２０とラックギヤ３５１とを結合して第１弾性部材３３０の付勢力を阻止することにより、第１音響出力部２００が徐々に上昇するようにする。ラックギヤ３５１は、円板状のラッチプレート３５０上に形成され、一対で形成される。
【００７０】
また、図２Ａ及び図１３に示すように、第１弾性部材３３０の中心部に対応する位置にはラッチスイッチ３４０が備えられ、ラッチプレート３５０の中心部には貫通孔３５２が形成され、貫通孔３５２の周囲には上側に内側リブ３５３が形成され、内側リブ３５３にはラッチスイッチ３４０が係止される。内側リブ３５３は、ラッチスイッチ３４０の断面形状に対応する形状を有するが、本発明の一実施形態においては、略四角形状を例示している。内側リブ３５３の外郭には環状の外側リブ３５４が形成されており、内側リブ３５３と外側リブ３５４間には第１弾性部材３３０が取り付けられる。ここで、外側リブ３５４の方が内側リブ３５３より高く形成されてもよい。
【００７１】
一方、本発明の一実施形態においては、デコプレート２１０を押圧すると第１状態から第２状態に切り替えられ、再びデコプレート２１０を押圧すると第２状態から第１状態に切り替えられる。このために、本発明の一実施形態による音響出力装置１００は、ラッチスイッチ３４０を備える。
【００７２】
図１９Ａ〜図１９Ｄは本発明の一実施形態によるラッチスイッチの作動メカニズムを説明するための図である。図１９Ａは第１状態でのラッチスイッチを示すものであり、図１９Ｂはオーバーストローク動作時のラッチスイッチを示すものであり、図１９Ｃは第２状態でのラッチスイッチを示すものである。また、図１９Ｄは第２状態から第１状態に切り替えられる過程でのラッチスイッチを示すものである。
【００７３】
以下、図１９Ａ〜図１９Ｄを参照して本発明の一実施形態によるラッチスイッチの構造及び作動メカニズムについて説明する。
【００７４】
ラッチスイッチ３４０は、一端部を中心に回転可能なラッチ３４１と、ラッチ３４１の下部に結合されるラッチ本体３４２と、ラッチ本体３４２を覆うように形成されるラッチケース３４３とを含む。ラッチスイッチ３４０は、ラッチ本体３４２がラッチケース３４３の底面方向に下降するほどラッチ３４１の他端部間の距離（他端部が形成する直径）が短くなり、ラッチ本体３４２が上昇するほどラッチ３４１の他端部間の距離が長くなる構造を有する。すなわち、ラッチ３４１は、一端部がラッチ本体３４２に結合され、他端部が開放されており、ラッチ３４１の移動状態に応じてラッチ３４１の他端部（開放端）間の距離が変化する。
【００７５】
ここで、第１状態でのラッチ３４１の他端部間の距離はＤ１であり、オーバーストローク状態でのラッチ３４１の他端部間の距離はＤ２であり、第２状態でのラッチ３４１の他端部間の距離はＤ３である。
【００７６】
また、ラッチ本体３４２の下部には、ラッチケース３４３の内面に接触してラッチ本体３４２を付勢する第２弾性部材３４８が備えられる。ラッチ３４１及びラッチ本体３４２を加圧する外力が除去されると、ラッチ本体３４２は、第２弾性部材３４８により自動で上昇する。デコプレート２１０が加圧されてプランジャ２９８が下方に移動した第１状態においては、ラッチ３４１の断面がプランジャ２９８の突出した外形に対応する形状を有することになる。プランジャ２９８が下方に移動すると、プランジャ２９８はラッチ本体３４２の上部及びラッチ３４１の内側面に接触し、プランジャ２９８がラッチ３４１の内側面に接触した状態でさらにラッチ３４１を下方に加圧すると、ラッチ３４１のオーバーストロークが発生してラッチ本体３４２の下端がラッチケース３４３の内面にほぼ接触する位置まで移動する。
【００７７】
ここで、ラッチケース３４３の底面からラッチ３４１に向かって突出するガイドレバー３４６が備えられ、ラッチ３４１のストローク時にガイドレバー３４６が収容される空間３４５ｃ、３４５ｄがラッチ本体３４２とラッチケース３４３間に設けられる。例えば、ラッチ３４１の下方には、ガイドレバー３４６が収容される空間を区画するように経路区画部３４４、３４５が突設され、経路区画部３４４、３４５により少なくとも２つの経路３４５ｃ、３４５ｄが形成されるようにし、ラッチ３４１のストローク時にガイドレバー３４６が選択的に第１経路３４５ｃ又は第２経路３４５ｄに収容されるようにしてもよい。
【００７８】
経路区画部３４４、３４５は、ラッチ本体３４２の上側に形成され、一方向に向かって傾斜して形成される第１経路区画部３４４と、第１経路区画部３４４から離隔してラッチ本体３４２に形成され、ガイドレバー３４６に向かう部分３４５ａは突出した形状を有し、反対部分である凹んだ部分３４５ｂはハート形状を有する第２経路区画部３４５とを含む。
【００７９】
以下、第１状態及び第２状態でのラッチスイッチ３４０の作動メカニズムについて説明する。
【００８０】
ガイドレバー３４６は、一端部がラッチケース３４３の底面に結合されて回転可能であり、他端部が折り曲げられて略Ｌ字状に形成される。折り曲げられた部分である自由端３４６ｂが第２経路区画部３４５に係止される。
【００８１】
まず、図１９Ａに示すように、第１状態では、ラッチ本体３４２がラッチケース３４３の内部に収容されて第２弾性部材３４８が圧縮されており、ガイドレバー３４６により第２経路区画部３４５が固定されてラッチ本体３４２が上昇できなくなっている。この状態で、プランジャ２９８がラッチ３４１の内側面を加圧すると、図１９Ｂに示すように、ラッチ本体３４２が下降して第２弾性部材３４８をさらに加圧し、ガイドレバー３４６の自由端３４６ｂは、第２経路区画部３４５から離脱し、第２経路区画部３４５から離隔して形成される第１経路区画部３４４により第１経路３４５ｃに配置される。すなわち、第１経路区画部３４４は、ガイドレバー３４６の自由端３４６ｂをラッチ本体３４２に向かう方向に向かわせる。その後、ラッチ３４１を加圧する外力が除去されると、図１９Ｃに示すように、ラッチ本体３４２が上昇し、ラッチ本体３４２の下端一側に備えられた突起３４３ａにより、ガイドレバー３４６は、ラッチ本体３４２から次第に遠ざかり、ラッチ本体３４２から所定間隔離隔することになる。これにより第２状態が実現される。このような過程で、ラッチ本体３４２は、ダンピングギヤ３２０により減速されて徐々に上昇する。
【００８２】
その後、ラッチ３４１が再び加圧されると再び第１状態に切り替えられるが、これについては図１９Ｄを参照して説明する。図１９Ｃに示す第２状態でラッチ３４１が加圧されると、ガイドレバー３４６の自由端３４６ｂは第２経路区画部３４５に接触する。第２経路区画部３４５は、ガイドレバー３４６に向かって突出した形状であるので、ガイドレバー３４６が接触するとガイドレバー３４６を一側に向かわせる。このとき、ガイドレバー３４６は、第１経路３４５ｃではなく、第２経路３４５ｄに収容される。ガイドレバー３４６が第２経路３４５ｄに配置された状態で継続してラッチ３４１が加圧されると、オーバーストロークが発生する。このとき、ラッチ３４１に加わる外力が除去されると、第２弾性部材３４８によりラッチ３４１及びラッチ本体３４２が上昇し、ガイドレバー３４６の自由端３４６ｂが第２経路区画部３４５の凹んだ部分３４５ｂに収容されることにより、ラッチ本体３４２の移動が阻止される。これにより再び第１状態が実現される。
【００８３】
ラッチプレート３５０の中央には、ラッチスイッチ３４０が収容される貫通孔３５２（図１３参照）が形成され、ラッチスイッチ３４０の周辺には、時計方向又は反時計方向に形成される一対のラックギヤ３５１が上方に向かって突設されている。また、昇降機構３００により第１音響出力部２００が昇降するときに均衡を保って昇降するようにするために、ラックギヤ３５１がラッチプレート３５０の中心を基準に点対称となり、ラックギヤ３５１の形成方向もラッチプレート３５０の中心を基準に点対称となる構造にする。
【００８４】
図３に示すように、ラッチプレート３５０の下部にはメイン回路基板３６０が備えられ、メイン回路基板３６０上には複数の電子部品が実装される。メイン回路基板３６０とタッチ回路基板２３０とは、フレキシブルプリント基板１３１又はフレキシブルケーブルにより接続される。ラッチプレート３５０の下部には複数のボス３５５が形成され、メイン回路基板３６０の下部からボス３５５に向かって配置される結合部材１７７により、メイン回路基板３６０がラッチプレート３５０に結合される。
【００８５】
ラッチプレート３５０の下方には下部ケース４１０、４２０が備えられ、メイン回路基板３６０の縁部には複数の孔３６１が形成され、下部ケース４１０の上面には上方に向かって突出する複数のボス４１２が形成されており、ボス４１２が孔３６１に対応する位置に配置されてメイン回路基板３６０を固定する。
【００８６】
図１４は本発明の一実施形態による第１下部ケースの斜視図であり、図１５は本発明の一実施形態による第２下部ケースの斜視図である。
【００８７】
本発明の一実施形態による下部ケース４１０、４２０は、中空円筒状であり、上側に備えられる第１下部ケース４１０と、第１下部ケース４１０の下部に結合される第２下部ケース４２０とを含む。第１下部ケース４１０及び第２下部ケース４２０の中空部には第２スピーカモジュール４９０が備えられる。第２スピーカモジュール４９０は、第１スピーカモジュール２８０の形成方向と逆方向に形成される。すなわち、第２スピーカモジュール４９０は、第２スピーカモジュール４９０により発生する音響が下方に向かって外部に放出されるように配置される。ここで、第１下部ケース４１０は、上側は密閉され、下側は開放されており、側面には双方向に貫通孔４１１が形成されている。貫通孔４１１には一対の振動部材５３０が備えられて貫通孔４１１を密閉する。振動部材５３０により第３音響出力部５００が形成される。
【００８８】
なお、第１音響出力部２００及び第２音響出力部４００は、内部に音響増幅器（アンプ）が内蔵されているアクティブスピーカ又はパワードスピーカであり、第３音響出力部５００は、音響増幅器が内蔵されていないパッシブスピーカである。本発明の一実施形態による第３音響出力部５００には、外部から音圧形成のための電源が供給されない。よって、第３音響出力部５００における音圧形成方法が必要であるが、本発明の一実施形態においては、第２音響出力部４００の振動を用いている。すなわち、第２音響出力部４００には上下に振動する振動板（cone）４９１が備えられるが、振動板４９１が下方に向かって突出した場合を（＋）音圧とし、振動板４９１が上方に向かって突出した場合を（−）音圧とすると、第３音響出力部５００においては、第２音響出力部４００の振動板４９１が（−）音圧の状態を（＋）音圧として検出し、第２音響出力部４００の振動板４９１が（＋）音圧の状態を（−）音圧として検出する。このような音圧形成のために、振動部材５３０は略四角形状のフレーム構造を有する。
【００８９】
第２音響出力部４００は、第２スピーカモジュール４９０を含むが、第２スピーカモジュール４９０の下部には振動板４９１が備えられ、第２スピーカモジュール４９０の上側には音響孔４９２が形成される。ここで、振動板４９１の振動により、振動板４９１の正面から音響が出力されるが、第２スピーカモジュール４９０の背面にも振動板４９１の振動が伝達されて音圧が形成される。第２スピーカモジュール４９０の背面から発生する音圧差が振動部材５３０に伝達され、振動部材５３０も振動部材５３０の前面及び背面の振動により音圧差を発生する。このような方式で発生した音響は、振動部材５３０の外部に向けて出力され、外部ケース１０１と下部ケースとの間に伝達され、その後外部ケース１０１の下部に形成された音響孔１０３から外部に出力される。図２Ｂにおいては、第３音響出力部５００による音響経路Ｌ３を示す。
【００９０】
図１６Ａは本発明の一実施形態による振動部材の正面図であり、図１６Ｂは図１６ＡのＧ−Ｇ線断面図である。図１６Ａ及び図１６Ｂに示すように、振動部材５３０は、略四角形状のゴム部材５３１と、ゴム部材５３１の内部に備えられる金属部材５３２とを含み、ゴム部材５３１の外側には第１下部ケース４１０の貫通孔４１１に結合するためのフレーム５３３が形成される。ゴム部材５３１は、金属部材５３２と共に１つの振動板として振動して音響を発生する。一例として、ゴム部材５３１は、シリコンを含有するようにしてもよい。フレーム５３３は、結合部材１８１（図３参照）により第１下部ケース４１０に結合される。ここで、ゴム部材５３１ａ、５３１ｂは、前面又は背面が膨らんで形成されてもよいが、同一方向に膨らんで形成されるか又は凹んで形成されてもよく、異なる方向に膨らんで形成されるか又は凹んで形成されてもよい。すなわち、第１ゴム部材５３１ａは外部に向かって膨らんで形成され、第２ゴム部材５３１ｂは内部に向かって膨らんで形成されるようにしてもよい。図１６Ｂにおいては、ゴム部材５３１ａ、５３１ｂが異なる方向に膨らんで形成された場合を例示している。
【００９１】
一方、第２音響出力部４００は、第１音響出力部２００と同様に、第２音響出力部４００から発生する音響を下方に出力するために、第２音響経路形成部４４０を含む。すなわち、第２下部ケース４２０の上側及び下側が開放されており、第２下部ケース４２０の内部に第２スピーカモジュール４９０が収容され、第２スピーカモジュール４９０の端部には第２スピーカモジュール４９０から出力される音響の経路Ｌ２を外部に導くための第２音響経路形成部４４０が形成される。
【００９２】
図１７Ａは本発明の一実施形態による第２音響経路形成部の斜視図であり、図１７Ｂは図１７Ａの平面図であり、図１７Ｃは図１７ＢのＨ−Ｈ線断面図である。また、図１８Ａは本発明の一実施形態による下部キャップの平面図であり、図１８Ｂは図１８ＡのＩ−Ｉ線断面図である。
【００９３】
図１７Ａ〜図１７Ｃに示すように、第２音響経路形成部４４０は、第２スピーカモジュール４９０に向かって突出した形状であり、その中心を基準として下向きに傾斜して形成される。第１音響経路形成部２４０と同様に、傾斜部４４１ａ、４４１ｂは、直線又は平面状よりは曲線又は曲面状に形成されることが好ましい。
【００９４】
第２音響経路形成部４４０の下部には補助回路基板４５０が備えられ、補助回路基板４５０は、メイン回路基板３６０に電気的に接続されて第２音響出力部４００を制御する。また、補助回路基板４５０の下部には補助回路基板４５０を固定するための回路基板固定プレート４６０が備えられ、回路基板固定プレート４６０は、下部キャップ４７０に収容される。下部キャップ４７０は、音響出力装置１００の下端部を密閉するためのものであり、下部キャップ４７０の一側面には貫通孔４７３が形成され、貫通孔４７３の内部にはインタフェース部１０４が形成される。また、下部キャップ４７０の底面には底板４８０が備えられる。さらに、下部キャップ４７０には小さい貫通孔４７２が形成され、貫通孔４７２からＬＥＤレンズ４７１による光が外部に照射される。一例として、インタフェース部１０４は、ＵＳＢであってもよく、音響出力装置１００に接続される各種外部機器との通路の役割を果たす。このようなインタフェース部１０４は、有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートの少なくとも１つを含む。音響出力装置１００においては、インタフェース部１０４への外部機器の接続に対応して、接続された外部機器に関する制御を行うことができる。
【００９５】
第２音響経路部４４０の中心には貫通孔４４３が形成され、貫通孔４４３は回路基板固定プレート４６０の中心に形成されるボス４６１（図３参照）に連通し、結合部材１８３により第２音響経路形成部４４０、補助回路基板４５０及び回路基板固定プレート４６０が結合される。また、図１８Ａに示すように、下部キャップ４７０の内部には複数のボス４７５が形成され、回路基板固定プレート４６０に固定されるようにする。
【００９６】
また、下部ケース４１０、４２０の内部にはバッテリ４９５が備えられ、バッテリ４９５は上下方向に長く形成され、バッテリ４９５と補助回路基板４５０とは電源供給用ケーブル１３３又はワイヤにより電気的に接続され、メイン回路基板３６０と補助回路基板４５０とはフレキシブルプリント基板１３２又はフレキシブルケーブルにより電気的に接続される。また、メイン回路基板３６０とタッチ回路基板２３０とはフレキシブルプリント基板１３１又はフレキシブルケーブルにより電気的に接続される。このような構成により、タッチ回路基板２３０、メイン回路基板３６０及び補助回路基板４５０にはバッテリ４９５から電源を供給できるようになる。
【００９７】
以上、第１〜第３音響出力部２００、４００、５００から発生する音響が全方向（３６０°）に出力される場合を説明したが、必ずしもこれに限定されるものではない。
【００９８】
図１Ａに示すように、外部ケース１０１の下部には音響孔１０３が形成され、第２音響出力部４００及び第３音響出力部５００から発生する音響が音響孔１０３から外部に出力される。
【００９９】
ここで、第２音響出力部４００及び第３音響出力部５００から発生する音響が出力される領域を区分し、特定の領域においてより集中的に出力されるようにしてもよい。図１８Ｃは本発明の一実施形態による下部キャップの変形例の斜視図であるが、図１８Ｃに示すように、下部キャップ４７０を３つの領域に区分してもよい。また、下部キャップ４７０から突出するリブ４７７が所定間隔離隔して形成され、リブ４７７が外部ケース１０１に形成された音響孔１０３の一部を遮蔽するようにしてもよい。
【０１００】
ここで、下部キャップ４７０を中心部４７６でのみ回路基板固定プレート４６０に結合されるようにし、下部キャップ４７０を回転自在にした場合は、第２音響出力部４００及び第３音響出力部５００により外部に出力される音響の放射方向を制御することができる。この場合は、下部キャップ４７０を回転させることにより、必要に応じて音響の出力方向を変えることができる。図１８Ｃにおいては、１２０°間隔でリブ４７７が形成された場合を例示しているが、必ずしもこれに限定されるものではない。
【０１０１】
また、これと同様に、第１音響出力部２００により出力される音響の放射方向を特定の角度に制御することは、第１音響伝達部２５０の一部の領域を密閉することにより実現可能である。
【０１０２】
一方、本発明の一実施形態による音響出力装置１００は、複数箇所で振動が発生し、その振動により一部の構成が脆弱になることがある。これを防止するために、本発明の一実施形態においては、多くの振動が発生する箇所には衝撃緩和部材１６１、１６２、１６３、１６４、１６５を配置している。例えば、バッテリ４９５と第１下部ケース４１０の内面間に衝撃緩和部材１６５を配置し、第２下部ケース４２０の外側面に衝撃緩和部材１６３を配置し、振動部材５３０と第１下部ケース４１０の外周を覆うように衝撃緩和部材１６２を配置してもよい。ここで、衝撃緩和部材１６１、１６２、１６３、１６４、１６５は、隣接する機構間の摩擦により発生する摩擦音（ノイズ）を低減し、音が外部に漏れる音漏れを防止するために備えられる。また、ケーブル１３３などを付着するために、ワイヤ付着テープ１６６を形成してもよい。
【０１０３】
以下、本発明の一実施形態による音響出力装置１００の使用例について説明する。
【０１０４】
本発明の一実施形態によるデコプレート２１０には様々な音響制御表示部２１１が形成されているが、以下、これに関連して本発明の一実施形態による音響出力装置１００を説明する。
【０１０５】
まず、本発明の一実施形態による音響出力装置１００は、近距離通信によるペアリングが可能な電子機器とペアリングすることにより使用可能になる。ここで、近距離通信は、ブルートゥース、ワイファイだけでなく、ＮＦＣ２２０によるペアリングも含む。デコプレート２１０を加圧すると、音響出力装置１００に電源が供給され（パワーオン）、第１状態から第２状態に切り替えられ、直ちにペアリングモードに移行する。音響出力装置１００がペアリングモードに移行すると、それをユーザに通知するために照明部材２３５が２秒に２回点滅し、ペアリングモードに移行してから１０分経過するまでに音響出力装置１００の周辺にペアリングが可能な電子機器が現れない場合、ペアリングモードはオフになる。音響出力装置１００の周辺にペアリングが可能な電子機器がある場合は、電子機器において、ブルートゥースによるペアリングが可能な電子機器のリストに音響出力装置１００が出力され、電子機器にパスワードを入力することにより音響出力装置１００とのペアリングを行えるようになる。
【０１０６】
ペアリング方法は、電源がオンになると自動でペアリングが行われるようにする方法（easy pairing）であるが、電子機器を第１電子機器とすると、第１電子機器とは異なる第２電子機器とペアリングすることもあり、ペアリングしたことのある電子機器とペアリングすることもある。ここで、ペアリングしたことのある電子機器は第１電子機器であり得る。
【０１０７】
この場合は、手動ペアリング（manual pairing）を直接行わなければならない。より具体的には、デコプレート２１０を加圧して電源をオンにした状態でブルートゥース表示部２１２を所定時間タッチすると、音響出力装置１００はペアリングモードに移行する。音響出力装置１００がペアリングモードに移行すると、照明部材２３５が２秒に２回点滅し、第２電子機器又はペアリングしたことのある電子機器において、ペアリングが可能な電子機器のリストに音響出力装置１００が出力される。このとき、第２電子機器又はペアリングしたことのある電子機器にパスワードを入力することによりペアリングが行われる。場合によっては、パスワードを入力する段階を省略してもよい。
【０１０８】
以上、ブルートゥースによるペアリングモードについて説明したが、これはワイファイによるペアリングの場合も同様であるので具体的な説明は省略する。
【０１０９】
また、ブルートゥース又はワイファイによるペアリングだけではなく、ＮＦＣによるペアリングも可能である。これについてより具体的に説明する。まず、ＮＦＣに対応している電子機器を音響出力装置１００のデコプレート２１０上に接触させると、電子機器においては、音響出力装置１００を検出して自動でペアリングしたり、ペアリングするか否かを確認する画面で「はい」が選択されると音響出力装置１００とペアリングする。一旦ＮＦＣにより音響出力装置１００と電子機器がペアリングされた場合は、電子機器が音響出力装置１００から所定範囲内の領域に位置していれば継続してペアリングを維持する。その後、ペアリングを遮断する場合は、電子機器を再びデコプレート２１０に近接させることにより、ペアリングが遮断されるようにする。
【０１１０】
また、本発明の一実施形態による音響出力装置１００は、同時に２つの電子機器に接続することができる。図２２は本発明の一実施形態による音響出力装置の使用例を示す図である。図２２を参照すると、第１電子機器６００ａとのペアリングを行い、その後第２電子機器６００ｂとのペアリングを行う。このとき、第１電子機器６００ａと第２電子機器６００ｂのいずれかをメイン電子機器（プライマリデバイス）に指定し、メイン電子機器により音響が出力されるようにしてもよい。
【０１１１】
一方、図２３は本発明の一実施形態による音響出力装置の他の使用例を示す図であるが、図２３を参照すると、本発明の一実施形態においては、２つの音響出力装置１００を用いて立体音響（ステレオ音響）を楽しむことができる。すなわち、１つの電子機器６００と２つの音響出力装置１００ａ、１００ｂをペアリング（デュアル再生）することができる。例えば、第１音響出力装置１００ａと電子機器６００のペアリングを行い、その後第２音響出力装置１００ｂのブルートゥース表示部２１２及びボリュームダウンボタン２１４ａを同時に２秒間押圧し、第１音響出力装置１００ａのブルートゥース表示部２１２及びボリュームアップボタン２１４ｂを同時に２秒間押圧すると、照明部材２３５が２秒に１回点滅する。しばらくすると、第１音響出力装置１００ａと第２音響出力装置１００ｂが同時に１つの電子機器６００にペアリングされ、立体音響を楽しむことができる。ここで、立体音響を停止するためには、第１音響出力装置１００ａ又は第２音響出力装置１００ｂのブルートゥース表示部２１２及びボリュームアップボタン２１４ｂ又はブルートゥース表示部２１２及びボリュームダウンボタン２１４ａを同時に２秒間（ロングタッチ）押圧すればよい。例えば、第２音響出力装置１００ｂのブルートゥース表示部２１２及びボリュームアップボタン２１４ｂを同時に押圧すると、第２音響出力装置１００ｂと電子機器６００のペアリングが遮断されるようにしてもよい。以上、ボリュームアップボタン２１４ｂ又はボリュームダウンボタン２１４ａを用いてペアリングする場合を説明したが、必ずしもこれに限定されるものではなく、ブルートゥース表示部２１２と共に再生速度に関連するボタン２１５ａ、２１５ｂ、２１６を用いてペアリングするようにしてもよい。
【０１１２】
一方、本発明の一実施形態においては、様々なイコライザモードの変更を行うことができる。例えば、第１モードであるバスブースト（Bass Boost）モード（低域ブースト）、第２モードであるトレブルブースト（Treble Boost）モード（高域ブースト）、第３モードであるパワーブースト（Power Boost）モード（全域ブースト）に変更することができる。このために、音響制御表示部２１１のイコライザ（ＥＱ）ボタン２１３をタッチ（ショートタッチ）すると、第１モードの場合は照明部材２３５が１回点滅し、第２モードの場合は照明部材２３５が２回点滅し、第３モードの場合は照明部材２３５が３回点滅するようにし、ユーザがどのモードで動作しているかを確認できるようにする。
【０１１３】
音響制御表示部２１１には、前述したボタンに加え、前曲ボタン２１５ａ、次曲ボタン２１５ｂ、再生／一時停止ボタン２１６、照明部材２３５を制御するボタン２１７が備えられるようにしてもよく、ボタンは、タッチ方式で動作する。
【０１１４】
前述した本発明は、コンピュータ可読媒体にコンピュータ可読コードで実現することができる。コンピュータ可読媒体は、コンピュータシステムにより読み取り可能なデータが記録されるあらゆる種類の記録装置を含む。コンピュータ可読媒体は、ＨＤＤ、ＳＳＤ、ＳＤＤ、ＲＯＭ、ＲＡＭ、ＣＤ−ＲＯＭ、磁気テープ、フロッピーディスク、光データ記憶装置などを含み、かつ搬送波（例えば、インターネットによる送信）状に実現されるものも含む。また、コンピュータは、端末機の制御部を含んでもよい。よって、本発明の詳細な説明は例示的なものであり、あらゆる面で制限的に解釈されてはならない。本発明の範囲は添付の特許請求の範囲の合理的解釈により定められるべきであり、本発明の等価的範囲内での全ての変更が本発明の範囲に含まれる。
【符号の説明】
【０１１５】
１００    音響出力装置
１０１    外部ケース
２００    第１音響出力部
２４０    第１音響経路形成部
２５０    第１音響伝達部
２７０    第１上部ケース
２８０    第１スピーカモジュール
２９０    第２上部ケース
３００    昇降機構
３２０    ダンピングギヤ
３３０    第１弾性部材
３４０    ラッチスイッチ
３５０    ラッチプレート
３５１    ラックギヤ
４００    第２音響出力部
４１０    第１下部ケース
４２０    第２下部ケース
４４０    第２音響経路形成部
４９０    第２スピーカモジュール
５００    第３音響出力部
５３０    振動部材
５３１    ゴム部材
５３２    金属部材
５３３    フレーム
【図１Ａ】
2017041884.tif 000003
【図１Ｂ】
2017041884.tif 000004
【図２Ａ】
2017041884.tif 000005
【図２Ｂ】
2017041884.tif 000006
【図３】
2017041884.tif 000007
【図４Ａ】
2017041884.tif 000008
【図４Ｂ】
2017041884.tif 000009
【図５】
2017041884.tif 000010
【図６Ａ】
2017041884.tif 000011
【図６Ｂ】
2017041884.tif 000012
【図６Ｃ】
2017041884.tif 000013
【図７Ａ】
2017041884.tif 000014
【図７Ｂ】
2017041884.tif 000015
【図７Ｃ】
2017041884.tif 000016
【図８Ａ】
2017041884.tif 000017
【図８Ｂ】
2017041884.tif 000018
【図８Ｃ】
2017041884.tif 000019
【図８Ｄ】
2017041884.tif 000020
【図９】
2017041884.tif 000021
【図１０Ａ】
2017041884.tif 000022
【図１０Ｂ】
2017041884.tif 000023
【図１０Ｃ】
2017041884.tif 000024
【図１１Ａ】
2017041884.tif 000025
【図１１Ｂ】
2017041884.tif 000026
【図１１Ｃ】
2017041884.tif 000027
【図１２】
2017041884.tif 000028
【図１３】
2017041884.tif 000029
【図１４】
2017041884.tif 000030
【図１５】
2017041884.tif 000031
【図１６Ａ】
2017041884.tif 000032
【図１６Ｂ】
2017041884.tif 000033
【図１７Ａ】
2017041884.tif 000034
【図１７Ｂ】
2017041884.tif 000035
【図１７Ｃ】
2017041884.tif 000036
【図１８Ａ】
2017041884.tif 000037
【図１８Ｂ】
2017041884.tif 000038
【図１８Ｃ】
2017041884.tif 000039
【図１９Ａ】
2017041884.tif 000040
【図１９Ｂ】
2017041884.tif 000041
【図１９Ｃ】
2017041884.tif 000042
【図１９Ｄ】
2017041884.tif 000043
【図２０Ａ】
2017041884.tif 000044
【図２０Ｂ】
2017041884.tif 000045
【図２１】
2017041884.tif 000046
【図２２】
2017041884.tif 000047
【図２３】
2017041884.tif 000048